(57)【要約】      （修正有）【課題】持ち運びが容易であるとともに、花火の径の太さに応じて花火を簡便に支持することができる花火支持台を提供する。【解決手段】花火支持台１は、花火を支持するための第１開口部１１が設けられた天板３と、天板３をその両側方で所定の高さに支持する左右脚部７と、左右脚部７に挟まれて天板３の下面に沿ってスライド移動可能な可動部材９と、を備えており、可動部材９のスライド移動に伴って第１開口部１１の開口面積が変化し、天板３、左右脚部７及び可動部材９は、それぞれ、板部材から組み立て可能である。【選択図】図１
2015001336.tif 000002
【特許請求の範囲】
【請求項１】
花火を支持するための第１開口部が設けられた天板と、
前記天板をその両側方で所定の高さに支持する左右脚部と、
前記左右脚部に挟まれて前記天板の下面に沿ってスライド移動可能な可動部材と、を備えており、
前記可動部材のスライド移動に伴って前記第１開口部の開口面積が変化し、
前記天板、前記左右脚部及び前記可動部材は、それぞれ、板部材から組み立て可能であることを特徴とする花火支持台。
【請求項２】
前記天板よりも下方に前記左右脚部によって支持され、前記第１開口部に対応する位置に設けられた第２開口部を具備する中板を備え、
前記可動部材は前記天板と前記中板とに挟まれてスライド移動し、前記可動部材のスライド移動に伴って前記第１開口部と前記第２開口部とが連通する開口面積が変化する請求項１に記載の花火支持台。
【請求項３】
前記第１開口部の縁部では、前記板部材の一部が下方に折り曲げられた後に折り返されて第１弾性片とされており、
前記第１弾性片は、前記可動部材と前記天板との間に挟まれつつ、その弾性により前記可動部材側に付勢されている請求項２に記載の花火支持台。
【請求項４】
前記可動部材の側面には、折り返して形成された第２弾性片が設けられ、
前記第２弾性片は、その弾性により前記左右脚部の少なくとも一方の内側面に付勢されている請求項２又は３に記載の花火支持台。
【請求項５】
前記第１開口部の開口面積が前記可動部材により調整される際には、前記開口面積の調整時における開口部位の形状が多角形状となる請求項１乃至４のいずれか１項に記載の花火支持台。
【請求項６】
前記第１開口部の開口面積が前記可動部材により調整される際には、前記開口面積の調整時における開口部位の形状が四角形状となり、その形状と相似形状をもって縮小又は拡大可能とされている請求項１乃至４のいずれか１項に記載の花火支持台。
【発明の詳細な説明】
【技術分野】
【０００１】
本発明は、花火支持台に関する。更に詳しくは、本発明は、持ち運びが容易であるとともに、花火の径の太さに応じて花火を簡便に支持することができる花火支持台に関する。
【背景技術】
【０００２】
従来より、玩具花火を起立した状態で支持させるための花火支持台が検討されている。
例えば、アングル綱を用いた支持台が検討されている。このものでは、円筒状の花火をアングル綱と、支持部材と、の間に挟み込むことで支持する。そして、花火の太さに応じて、支持部材を所定位置まで移動させて、その位置において蝶ナットにて固定する構造となっている（特許文献１参照）。
【先行技術文献】
【特許文献】
【０００３】
【特許文献１】特開２０１１−５０１４７号公報
【発明の概要】
【発明が解決しようとする課題】
【０００４】
しかしながら、従来の花火支持台では、蝶ナット等のネジ構造での固定が必要であるなど、構造が煩雑であり、花火をより簡便に支持できる構造のものが求められている。更には、従来の花火支持台は、搬送時において嵩張るものが多く、持ち運びがより容易な形態のものが求められている。
本発明は、上記実情に鑑みてなされたものであり、持ち運びが容易であるとともに、花火の径の太さに応じて花火を簡便に支持することができる花火支持台を提供することを目的とする。
【課題を解決するための手段】
【０００５】
本発明は以下のとおりである。
１．花火を支持するための第１開口部が設けられた天板と、
前記天板をその両側方で所定の高さに支持する左右脚部と、
前記左右脚部に挟まれて前記天板の下面に沿ってスライド移動可能な可動部材と、を備えており、
前記可動部材のスライド移動に伴って前記第１開口部の開口面積が変化し、
前記天板、前記左右脚部及び前記可動部材は、それぞれ、板部材から組み立て可能であることを特徴とする花火支持台。
２．前記天板よりも下方に前記左右脚部によって支持され、前記第１開口部に対応する位置に設けられた第２開口部を具備する中板を備え、
前記可動部材は前記天板と前記中板とに挟まれてスライド移動し、前記可動部材のスライド移動に伴って前記第１開口部と前記第２開口部とが連通する開口面積が変化する前記１．に記載の花火支持台。
３．前記第１開口部の縁部では、前記板部材の一部が下方に折り曲げられた後に折り返されて第１弾性片とされており、
前記第１弾性片は、前記可動部材と前記天板との間に挟まれつつ、その弾性により前記可動部材側に付勢されている前記２．に記載の花火支持台。
４．前記可動部材の側面には、折り返して形成された第２弾性片が設けられ、
前記第２弾性片は、その弾性により前記左右脚部の少なくとも一方の内側面に付勢されている前記２．又は３．に記載の花火支持台。
５．前記第１開口部の開口面積が前記可動部材により調整される際には、前記開口面積の調整時における開口部位の形状が多角形状となる前記１．乃至４．のいずれかに記載の花火支持台。
６．前記第１開口部の開口面積が前記可動部材により調整される際には、前記開口面積の調整時における開口部位の形状が四角形状となり、その形状と相似形状をもって縮小又は拡大可能とされている前記１．乃至４．のいずれかに記載の花火支持台。
【発明の効果】
【０００６】
上記１．の花火支持台は、第１開口部が設けられた天板と、天板をその両側方で所定の高さに支持する左右脚部と、左右脚部に挟まれて天板の下面に沿ってスライド移動可能な可動部材とを備えた花火支持台である。天板、左右脚部及び可動部材は、それぞれ、板部材から組み立て可能となっている。そして、可動部材のスライド移動に伴って第１開口部の開口面積が変化する。
このような構成とされていると、花火の径の太さに応じて第１開口部の開口面積を調整することができ、この調整された第１開口部に花火を入れて支持することができる。この場合には、花火の径の太さに応じた複数の花火支持台を作成するよりも簡便である。また、花火支持台は、板部材から組立可能となっているから、搬送時には折り畳むことで嵩張らない。
【０００７】
上記２．の花火支持台は、天板よりも下方に左右脚部によって支持され、第１開口部に対応する位置に設けられた第２開口部を具備する中板を備える。そして、可動部材は天板と中板とに挟まれてスライド移動し、可動部材のスライド移動に伴って第１開口部と第２開口部とが連通する開口面積が変化する。
このような構成とされていると、花火の径の太さに応じて第１開口部と第２開口部とが連通する開口面積を調整することができ、この調整された第１開口部及び第２開口部に花火を入れて支持することができる。この場合には、第１開口部及び第２開口部の両方で花火を支持することができ、花火の支持状態をより安定させることができる。
【０００８】
上記３．の花火支持台は、第１開口部の縁部では、板部材の一部が下方に折り曲げられた後に折り返されて第１弾性片とされている。また、第１弾性片は、可動部材と天板との間に挟まれつつ、その弾性により可動部材側に付勢されている。
このような構成とされていると、可動部材に第１弾性片が付勢されているので、可動部材が不用意に動いて花火の支持が不安定になることを抑制することができる。
【０００９】
上記４．の花火支持台は、可動部材の側面には、折り返して形成された第２弾性片が設けられており、第２弾性片は、その弾性により左右脚部の少なくとも一方の内側面に付勢されている。
このような構成とされていると、可動部材に第２弾性片が付勢されているので、可動部材が不用意に動いて花火の支持が不安定になることを抑制することができる。
【００１０】
上記５．の花火支持台は、第１開口部の開口面積が可動部材により調整される際には、開口面積の調整時における開口部位の形状が多角形状となる。
このような構成とされていると、用いられる花火が様々な径の太さであっても、常に、多角形における複数の辺に相当する部分で花火を支持することができるため、花火の姿勢を安定して保つことができる。
【００１１】
上記６．の花火支持台は、第１開口部の開口面積が可動部材により調整される際には、開口面積の調整時における開口部位の形状が四角形状となり、その形状と相似形状をもって縮小又は拡大可能とされている。
このような構成とされていると、用いられる花火が様々な径の太さであっても、常に、四角形の４辺に相当する部分で花火を支持することができるため、花火の姿勢を安定して保つことができる。
【図面の簡単な説明】
【００１２】
【図１】花火支持台を説明する模式図である。
【図２】花火支持台を説明する模式図である。
【図３】図２におけるＸ−Ｘ断面を説明する模式図である。
【図４】可動部材を説明する模式図である。
【図５】開口面積の調整を説明する模式図である。
【図６】花火が支持された花火支持台を説明する模式図である。
【図７】花火が支持された花火支持台を説明する模式図である。
【図８】花火が支持された花火支持台を説明する模式図である。
【図９】花火が支持された花火支持台を説明する模式図である。
【発明を実施するための形態】
【００１３】
以下、本発明を詳しく説明する。
本発明の花火支持台は、板部材から組立可能となっており、天板と、天板を支える左右脚部と、左右脚部に挟まれて天板の下面に沿ってスライド移動可能な可動部材と、を備えたものである。そして、天板には、第１開口部が設けられるとともに、可動部材のスライド移動に伴って、第１開口部の開口面積が変化する。
【００１４】
本発明の花火支持台を構成する上記板部材の材質は特に限定されず、例えば、紙製、樹脂製、金属製のものを用いることができ、特に、難燃性が付与された紙製、樹脂製、金属製の板部材を用いることが好ましい。また、搬送時における折り畳み性や軽量性の観点から、この板部材は、厚紙やダンボール等の紙製の板部材（特に、難燃性が付与された、厚紙やダンボール等の紙製の板部材）とすることが好ましい。
また、板部材の厚みは特に限定されず、例えば、０．１〜１０ｍｍ（特に０．３〜８ｍｍ、更には０．５〜５ｍｍ）とすることができる。
【００１５】
上記天板の形状は特に限定されず、例えば、略矩形状とすることができる。
この天板の配設される高さは特に限定されないが、花火支持台の設置面から、１０〜３００ｍｍ（特に２０〜２００ｍｍ、更には３０〜１００ｍｍ）の高さに配設されることが好ましい。
【００１６】
また、上記天板には上記第１開口部が設けられており、本発明の花火支持台により支持される花火は、この第１開口部に挿通される。
第１開口部の形状は、花火を挿通することができる限り特に限定されない。具体的には、例えば、ホームベース形状（図１における第１開口部１１を参照）、四角等の多角形状とすることができる。
尚、支持される花火の形状は、通常、筒状等の長尺状の花火である。また、花火の支持される部位の直径は、通常、１５０ｍｍ以下（特に０．５〜１２０ｍｍ、更には１〜１００ｍｍ）である。
【００１７】
また、第１開口部の開口面積は、上記可動部材のスライド移動に伴って変化させることができる。即ち、上記可動部材により開口面積を調整可能な構成とされている。
この開口面積が可動部材により調整される際には、開口面積の調整時における開口部位の形状（第１開口部と可動部材とにより形成される開口部位の形状）が、多角形状（例えば、三角形、四角形、五角形、六角形、七角形、八角形等）となることが好ましい。開口部位の形状が、多角形状である場合、開口部位における複数の辺に相当する部分で花火を支持することができるため、即ち、開口部位における複数の支点で花火を支持することができるため、花火の姿勢を安定して保つことができる。
特に、本発明の花火支持台においては、第１開口部の開口面積が可動部材により調整される際には、開口面積の調整時における開口部位の形状が四角形状となり、その形状と相似形状をもって縮小又は拡大可能とされていることが好ましい。このような構成とされていると、用いられる花火が様々な径の太さであっても、常に、四角形の４辺に相当する部分で花火を支持することができるため、花火の姿勢を安定して保つことができる。
【００１８】
上記可動部材の構成は、左右脚部に挟まれて天板の下面に沿ってスライド移動させることにより、第１開口部の開口面積を調整可能である限り特に限定されない。具体的には、例えば、一端側が開放された箱体であって、一端側における上面及び下面には、略Ｖ字状の切り欠き部が形成されたものを挙げることができる（図４における可動部材９を参照）。更には、板状体や、その一端側に略Ｖ字状の切り欠き部が形成された板状体等を挙げることができる。尚、これらの形態においては、略Ｖ字状の切り欠き部を備えるものは、切り欠き部が形成された側が、花火側となる。
【００１９】
上記左右脚部の構成は特に限定されず、上記天板をその両側方で所定の高さに支持できる構成であればよい。具体的には、例えば、花火支持台の側方に壁状に立設された形態を挙げることができる（図１における左右脚部７を参照）。
【００２０】
また、本発明の花火支持台は、天板よりも下方に左右脚部によって支持され、第１開口部に対応する位置に設けられた第２開口部を具備する中板を備える形態とすることができる。この際、可動部材は天板と中板とに挟まれてスライド移動し、可動部材のスライド移動に伴って第１開口部と第２開口部とが連通する開口面積が変化する。
このような形態である場合、花火の径の太さに応じて第１開口部と第２開口部とが連通する開口面積を調整することができ、この調整された第１開口部及び第２開口部に花火を入れて支持することができる。そして、第１開口部及び第２開口部の両方で花火を支持することができ、花火の支持状態をより安定させることができる。
【００２１】
上記中板の形状は特に限定されず、例えば、略矩形状とすることができる。
この中板の配設される高さは上記天板よりも下方の位置である限り特に限定されないが、花火支持台の設置面から、５〜１５０ｍｍ（特に１０〜１００ｍｍ、更には１５〜５０ｍｍ）の高さに配設されることが好ましい。
また、第２開口部の形状は、花火を挿通することができる限り特に限定されない。具体的には、例えば、ホームベース形状（図１における第２開口部１９を参照）、四角等の多角形状とすることができる。特に、第１開口部の形状と同等であることが好ましい。
【００２２】
また、本発明の花火支持台は、第１開口部の縁部では、板部材の一部が下方に折り曲げられた後に折り返されて第１弾性片（図３における第１弾性片１５を参照）とされており、第１弾性片は、可動部材と天板との間に挟まれつつ、その弾性により可動部材側に付勢されている形態とすることができる。
このような構成とされていると、可動部材に第１弾性片が付勢されているので、可動部材が不用意に動いて花火の支持が不安定になることを抑制することができる。
【００２３】
また、本発明の花火支持台は、可動部材の側面には、折り返して形成された第２弾性片（図４における第２弾性片４３を参照）が設けられ、第２弾性片は、その弾性により左右脚部の少なくとも一方の内側面に付勢されている形態とすることができる。
このような構成とされていると、可動部材に第２弾性片が付勢されているので、可動部材が不用意に動いて花火の支持が不安定になることを抑制することができる。
【実施例】
【００２４】
以下、図面を用いて実施例により本発明を具体的に説明する。
＜実施例１＞
［１］花火支持台の構成
図１〜図９に示すように、実施例１における花火支持台１は、天板３と、天板３の下方に設けられた中板５と、花火支持台１の側方において壁状に立設され、天板３及び中板５をそれらの両側方で所定の高さに支持する左右脚部７と、天板３及び中板５に挟まれてスライド移動可能に設けられた可動部材９と、を備えている。尚、この花火支持台１は、難燃性を有する紙製の板部材から組立可能となっている。
天板３には、ホームベース形状の第１開口部１１が設けられており、その縁部１３には、板部材の一部が下方に折り曲げられた後に折り返された弾性片（第１弾性片１５）を備えている。また、天板３の端部１７は、下方側に略直角となるように折り曲げられており、先端側が中板５に系着されている（図３参照）。
中板５には、天板３における第１開口部１１の下方で、この第１開口部１１に対応する位置（重なる位置）に、第１開口部１１と同形状の第２開口部１９が設けられており、その縁部２１には、板部材の一部が上方に折り曲げられた後に折り返された弾性片（第３弾性片２３）を備えている。
左右脚部７の一方の側面側の下方には羽根部２５が形成されており、他方の側面側には窓部２７、２９が形成されている。
可動部材９は、板部材から組立可能となっており、図４に示すように、一端側３１が開放された箱体である。可動部材９の一端側３１における上面３３及び下面３５には、同一の略Ｖ字状の切り欠き部３７が形成されており、その他端側３９には、把持部４１が形成されている。また、可動部材９の一側面（花火支持台１の左右脚部７における窓部２７、２９が形成されている側）には、板部材の一部が外方に折り曲げられた後に折り返された弾性片（第２弾性片４３）を備えている。
そして、実施例１の花火支持台１では、スライド移動可能な可動部材９により、第１開口部１１及び第２開口部１９の開口面積が調整可能とされている。具体的には、図５の（ａ）〜（ｅ）に示すように、可動部材９を移動させることにより、第１開口部１１の開口面積を調整することができる。特に、図５の（ａ）〜（ｃ）に示すように、開口部位の形状が四角形状である場合には、その形状と相似形状をもって縮小又は拡大可能とされている。また、図５の（ｃ）よりも更に開口部位の開口面積を拡げた場合には、開口部位の形状は、六角形（図５の（ｄ）参照）や、七角形（図５の（ｅ）参照）となる。
【００２５】
［２］実施例１の作用効果
実施例１の花火支持台１を用いることで、以下のように花火を支持することができる。
まず、図５の（ｅ）に示すように、第１開口部１１及び第２開口部１９の開口面積が拡大する方向に可動部材９を移動させた状態で、花火を花火支持台１の上方又は下方から第１開口部１１及び第２開口部１９に挿通する。次いで、図５の（ａ）に示すように、第１開口部１１及び第２開口部１９の開口面積が縮小する方向に可動部材９を移動させる。このように操作することで、図６〜図９に示すように、花火４５の径の太さに応じて、花火４５を安定して支持することができる。
【００２６】
実施例１の花火支持台１では、可動部材９を移動させることにより、第１開口部１１及び第２開口部１９の開口面積を調整することができるため、花火の径の太さに応じて、花火を支持することができる。この際、開口面積の調整時における開口部位の形状が多角形状となり、用いられる花火が様々な径の太さであっても、常に、多角形における複数の辺に相当する部分で花火を支持することができるため、花火の姿勢を安定して保つことができる。特に、開口面積の調整時における開口部位の形状が四角形状となる際には、その形状と相似形状をもって縮小又は拡大可能とされているため、常に、四角形の４辺に相当する部分で花火を支持することができ、花火の姿勢を安定して保つことができる。
また、この花火支持台１では、開口面積が調整された第１開口部１１及び第２開口部１９の両方で花火を支持することができるため、花火の姿勢を安定して保つことができる。
【００２７】
実施例１の花火支持台１では、第１開口部１１の縁部１３に第１弾性片１５が設けられており、この第１弾性片１５は、可動部材９と天板３との間に挟まれつつ、その弾性により可動部材側に付勢されているので、可動部材９が不用意に動いて花火の支持が不安定になることを抑制することができる。
また、この花火支持台１では、可動部材９の側面に第２弾性片４３が設けられており、可動部材９に第２弾性片が付勢されているので、可動部材９が不用意に動いて花火の支持が不安定になることを抑制することができる。
更に、この花火支持台１では、第２開口部１９の縁部２１に第３弾性片２３が設けられており、この第３弾性片２３は、可動部材９と中板５との間に挟まれつつ、その弾性により可動部材側に付勢されているので、可動部材９が不用意に動いて花火の支持が不安定になることを抑制することができる。
【００２８】
実施例１の花火支持台１では、天板３の端部１７が、下方側に略直角となるように折り曲げられており、先端側が中板５に系着されているため、十分な強度を備えている。
また、この花火支持台１における左右脚部７の一方の側面側の下方には羽根部２５が形成されており、この羽根部２５の上方に水の入ったバケツや石等のオモリを載置することで、風等による花火支持台１の転倒を十分に抑制することができる。
更に、この花火支持台１における左右脚部７の他方の側面側には窓部２７、２９が形成されており、花火４５の導火線４７が下方に配設されている場合には、導火線４７が窓部側となるように花火４５を支持させ、この窓部２７、２９を介して、導火線に着火することができる（図９参照）。
また、この花火支持台１は、板部材から組立可能となっており、搬送時には平面的に折り畳むことができ、嵩張らない。尚、可動部材９も本体から取り外し、搬送時には平面的に折り畳むことができる。
【００２９】
尚、本発明においては、上記実施例１に限られず、目的、用途に応じて、本発明の範囲内で種々変更した実施例とすることができる。
例えば、実施例１の花火支持台１においては、中板５を配設しているが、この中板５を省いた構成としてもよい。また、実施例１の花火支持台１においては、可動部材９の構成を箱体としているが、板状の構成とすることもできる。
【符号の説明】
【００３０】
１；花火支持台、３；天板、５；中板、７；左右脚部、９；可動部材、１１；第１開口部、１３；第１開口部の縁部、１５；第１弾性片、１７；天板の端部、１９；第２開口部、２１；第２開口部の縁部、２３；第３弾性片、２５；羽根部、２７、２９；窓部、３１；可動部材の一端側、３３；可動部材の上面、３５；可動部材の下面、３７；切り欠き部、３９；可動部材の他端側、４１；把持部、４３；第２弾性片、４５；花火、４７；導火線。
【図１】
2015001336.tif 000003
【図２】
2015001336.tif 000004
【図３】
2015001336.tif 000005
【図４】
2015001336.tif 000006
【図５】
2015001336.tif 000007
【図６】
2015001336.tif 000008
【図７】
2015001336.tif 000009
【図８】
2015001336.tif 000010
【図９】
2015001336.tif 000011